(57)【要約】      （修正有）【課題】遊び心があり、使用者にとっては購買意欲をそそられ、他方、販売者側にとっては売上増進につながる携帯電話機用ストラップを提供する。【解決手段】携帯電話機用ストラップは、内部に枠状部材が収納され、この枠状部材内に品物が入っている袋状部材２を備え、かつこの袋状部材２に携帯電話機に接続可能な接続手段が設けられた構成とした。【選択図】図１
0003119122.tif 000002
【実用新案登録請求の範囲】
【請求項１】
内部に枠状部材（４）が収納され、この枠状部材（４）内に品物が入っている袋状部材（２）を備え、かつこの袋状部材（２）に携帯電話機に接続可能な接続手段が設けられたことを特徴とする携帯電話機用ストラップ。
【請求項２】
請求項１記載の携帯電話機用ストラップにおいて、前記袋状部材（２）の外表面は印刷可能であって耐水性の材質からなることを特徴とする携帯電話機用ストラップ。
【請求項３】
請求項１記載の携帯電話機用ストラップにおいて、前記袋状部材（２）の全部または一部が半透明または透明の材質からなり、内部の前記品物が外部から見えるようにしたことを特徴とする携帯電話機用ストラップ。
【請求項４】
請求項１記載の携帯電話機用ストラップにおいて、前記枠状部材（４）は内部の品物を保護する材質からなることを特徴とした携帯電話機用ストラップ。
【請求項５】
請求項１、３または４記載の携帯電話機用ストラップにおいて、前記品物はフィギア（５）からなることを特徴とする携帯電話機用ストラップ。
【考案の詳細な説明】
【技術分野】
【０００１】
この考案は携帯電話機に接続して使用される携帯電話機用ストラップに関する。
【背景技術】
【０００２】
従来、この種の一般的なストラップは、図６に示すように、ループ状の携帯電話機接続部１０と、手を通して手首に引掛けたり、あるいは手で持ったりする把持部１１と、この把持部１１に設けられ、衣類に止め脱落を防止するクリップ１２とを備えて構成されている。
【考案の開示】
【考案が解決しようとする課題】
【０００３】
このようなストラップはシンプルで非常に実用的である反面、実用性本位で無味乾燥的で、面白さに欠け、遊び心がない、という課題があった。
【０００４】
この考案は上記のことに鑑み提案されたもので、その目的とするところは、遊び心があり、使用者にとっては購買意欲をそそられ、他方、販売者側にとっては売上増進につながる携帯電話機用ストラップを提供することにある。
【課題を解決するための手段】
【０００５】
請求項１記載の本考案は、内部に枠状部材４が収納され、この枠状部材４内に品物が入っている袋状部材２を備え、かつこの袋状部材２に携帯電話機に接続可能な接続手段が設けたことを特徴とする。
請求項２記載の本考案は、請求項１記載の携帯電話機用ストラップにおいて、前記袋状部材２の外表面は印刷可能であって耐水性の材質からなることを特徴とする。
請求項３記載の本考案は、請求項１記載の携帯電話機用ストラップにおいて、前記袋状部材２の全部または一部が半透明または透明の材質からなり、内部の前記品物が外部から見えるようにしたことを特徴とする。
請求項４記載の本考案は、請求項１記載の携帯電話機用ストラップにおいて、前記枠状部材４は内部の品物を保護する材質からなることを特徴とする。
請求項５記載の本考案は、請求項１、３または４記載の携帯電機用ストラップにおいて、前記品物はフィギア５からなることを特徴とする。
【考案の効果】
【０００６】
請求項１記載の本考案によれば、袋状部材２内に品物が入っているため、買手側からするとその品物が何か楽しみに購入し、売手側からすると販売向上につながる、といった利点がある。
請求項２記載の本考案によれば、袋状部材の外表面は印刷可能であるため、宣伝広告機能を有する。
請求項３記載の本考案によれば、袋状部材２の全部または一部を半透明または透明の材質としたため、中の品物が何か選別して所望のものを取得することができる。
請求項４記載の本考案によれば、袋状部材２内の品物が破損しやすい物であっても枠状部材４により保護でき、破損を防止することができる。
請求項５記載の本考案によれば、内容物がフィギア５からなるため、フィギア５を鑑賞用、コレクションとして楽しむことができる。
【考案を実施するための最良の形態】
【０００７】
以下、本考案の実施例を図面に沿って説明する。
【実施例１】
【０００８】
図１は本考案に係るストラップの第１実施例を示す。
【０００９】
このストラップ１は、薄く、柔軟な樹脂からなる袋状部材２と、この袋状部材２の端面２ａのほぼ中央部に、端面２ａの長さ方向、つまり袋状部材２の巾方向に沿って形成され、かつ袋状部材２の長さ方向に向って突設されたフランジ状の耳２ｂを備えている。この耳２ｂと袋状部材２とは同じ材質にて形成される。
【００１０】
袋状部材２の材質としては、水に濡れても耐久性、耐水性があって柔軟な、例えばビニールからなる。
【００１１】
耳２ｂは袋状部材２の各端面２ａのほぼ中央部にそれぞれ形成されているが、いずれか一方の端面２ａのみであっても良い。
【００１２】
この耳２ｂの少なくとも一方にはループ状の紐からなる携帯電話機用接続部３が設けられている。
【００１３】
この接続部３を介し、周知のようにして、携帯電話機（図示せず）に取り付ければ良い。
【００１４】
前記袋状部材２の内部には、図２に示すような、ほぼ矩形をなす枠状部材４が収納されている。
【００１５】
そして、この枠状部材４の内側の空間部からなる室４ａには、図３に示すように、例えばフィギア５が収納される。
【００１６】
枠状部材４は、袋状部材２に外力が加わった際、フィギア５の損傷を防止する保護部材としての役割をなす。したがって、枠状部材４はウレタンフォームであると柔らかいので、変形し内部のフィギア５を損傷するおそれがあるため、軽量であって比較的硬い材質、好ましくはブリスターが用いられる。この材質によれば硬く適当な強度があるため、室４ａの容積を広げても枠状の形状の強度が極端に落ち変形することはない。したがって、多少大き目のフィギア５であっても収納可能であり、かつ内部のフィギア５を保護することもできる。枠状部材４としては発泡スチロールやその他の適宜の材質のものを用いても良い。
【００１７】
フィギア５としては、子供達や女の子に人気のある各種のキャラクターグッズを用いると購入者の興味をそそり、購買意欲を増大させることができ好ましい。販売側からしても売上高、ひいては増益となり好ましい。
【００１８】
なお、室４ａ内へ入れるものはフィギア５に限られるものではなく、例えば文具であっても良い。また、お菓子でも良い。この場合、枠状部材４はウレタン（ＥＶＡ）等のようなものを使用すると、やわらかいので、お菓子を保護することが出来る。ブリスターやウレタンがなくてもステッカーなどを入れることも可能である。
【００１９】
袋状部材２は第１実施例では不透明な材質からなっており、内部のフィギア５が外から見えないようになっている。また、生産される個々の袋状部材２内には異なるフィギア５を入れることが好ましい。
【００２０】
こうすることにより、買手に、中に何が入っているか楽しみに購入させることができる。また、各袋状部材２内には異なるフィギア５を入れておけばコレクションの気持ちを誘発させることができ、購入意欲や販売増進につながる。
【００２１】
また、袋状部材２の外表面に、例えば各種商品の宣伝広告やイラスト等を印刷することができる。
【００２２】
袋状部材２の大きさとしては高校生から大人までの手の平の大きさの平均値を取り、握った時に手の平内にほぼ収まる大きさに設定されている。したがって、袋状部材２を握って携帯電話機を持ち運ぶことができる。
【００２３】
なお、図４に示すように、他方の耳２ａにクリップ６を有する紐からなる把持部７を取付け、利便性を向上させても良いことは云うまでもない。この把持部７は接続部３が取付けられた一方の耳２ａに取付けても良い。
【００２４】
携帯電話機持ち運び用、あるいは携帯電話機用マスコットとしての利用に飽きたら、袋状部材２を破いて中のフィギア５を取り出し、フィギア５を鑑賞用として楽しめば良い。
【００２５】
フィギア５の楽しみ方の一例としては、その大きさから（ほぼ手の平サイズ）、女子高生の通学用のカバンに種々のフィギア５を紐（図示せず）を介してぶら下げたりしてマスコットとして楽しむことができる。
【実施例２】
【００２６】
図５は本考案の第２実施例を示す。この例では袋状部材２の全部または一部を、透明または半透明にした窓２ｃを設け、内部のフィギア５が外部から見えるようにしたことに特徴を有している。
【００２７】
このように窓２ｃを設ければ、袋状部材２の中に入っているフィギア５を選択し、所望のものを購入することができる。また、袋状部材２を破かなくてもフィギア５を外から見て楽しんだり、袋状部材２を接続部３を介してカバン類にぶら下げたりして利用することができる。
【００２８】
本考案は以上の実施例に限定されるものでなく、本考案の精神を逸脱しない範囲で種々の設計変更は可能である。例えば図示例では袋状部材２や枠状部材４の平面形状をほぼ矩形としたが、ほぼ楕円形としたりしても良い。また、耳２ｂを省略し、袋状部材２に直接紐を取り付けても良い。さらに、本考案に係る商品は売買の対象のみならずノベルティ商品として用いても良い。
【図面の簡単な説明】
【００２９】
【図１】本考案の第１実施例の斜視図を示す。
【図２】本考案に用いられる枠状部材の一例の斜視図を示す。
【図３】同上の枠状部材にフィギアが収められている様子を示す平面図である。
【図４】本考案に用いられる袋状部材に把持用クリップを付けた状態の斜視図を示す。
【図５】本考案の第２実施例の斜視図を示す。
【図６】従来例を示す。
【符号の説明】
【００３０】
１    ストラップ
２    袋状部材
２ａ  端面
２ｂ  耳
３    接続部
４    枠状部材
４ａ  室
５    フィギア
６    クリップ
７    把持部
【図１】
0003119122.tif 000003
【図２】
0003119122.tif 000004
【図３】
0003119122.tif 000005
【図４】
0003119122.tif 000006
【図５】
0003119122.tif 000007
【図６】
0003119122.tif 000008